(57)【要約】【課題】収集装置と演算制御、表示制御、指示選択部を設備側に設置出来るコンパクトな簡単な一つの装置にまとめ、検出、収集したデータの加工演算、表示に工夫することにより、収集から監視、制御、分析までの情報制御を可能とする情報制御装置を得る。【解決手段】演算制御部２２は検出され所定のプロセスデータを読込み、記憶装置部２４に順次格納し、予め設定した個数のプロセスデータを一つのグループとしての予め設定したトレンド値データを第１段階演算し、第１段階演算のトレンド値データを記憶装置部２４に格納するものとし、演算処理は第２段階演算、第３段階演算等と所定段階繰り返されてもよいものとし、記憶装置部２４に格納したある段階演算のトレンド値データをタッチパネル部２５にて選択、抽出すると、演算制御部２２は抽出した段階のトレンド値データの現時点から予め設定した経過時間分を液晶表示部２３に表示させることが出来るものとした。【選択図】　　図１
2004102963.tif 000002
【特許請求の範囲】
【請求項１】
情報制御対象の設備から各種複数の異なるアナログ、デジタルあるいはパルスデータ等所定のプロセスデータを検出する検出部と、この検出部にて検出した所定のプロセスデータを読込み情報制御対象設備ごとに設定した情報制御の演算制御、記憶装置部への情報制御の記憶制御、記憶装置部が記憶するデータの抽出演算制御、液晶表示部（後述）への情報制御等の表示制御、およびタッチパネル部（後述）による設定制御等を制御する演算制御部と、この演算制御部からの情報制御等を表示する液晶表示部と、演算制御部からの情報制御等を記憶する記憶装置部と、各種入力や液晶表示画面の設定を行うタッチパネル部等より構成される情報制御装置において、前記演算制御部は予め設定したサンプリング時間毎に検出部にて検出した所定のプロセスデータを読込み、この検出部から読込んだプロセスデータを記憶装置部に順次格納し、この記憶装置部に格納したプロセスデータが予め設定したｎ個となる第１の所定時間が経つと、このｎ個のデータを一つのグループとし、このグループの予め設定したトレンド値データを第１段階演算し、この第１段階演算のトレンド値データを記憶装置部に格納するものとし、この演算処理は所定段階繰り返されてもよいものとし、例えば第１段階演算制御を予め設定したＭ回繰り返すことになる第２の所定時間に、Ｍ回分の格納トレンド値データからトレンド値データを第２段階演算し、この第２段階演算のトレンド値データを記憶装置部に格納し、更に第２段階演算制御を予め設定したＰ回繰り返すことになる第３の所定時間に、Ｐ回分の第２段階演算の格納トレンド値データからトレンド値データを第３段階演算し、この第３段階演算のトレンド値データを記憶装置部に格納するものとし、前記タッチパネル部には前記演算制御部にて演算制御し記憶装置部に格納した各段階毎のトレンド値データを選択出来る選択キーを設け、この選択キーにて選択した段階のトレンド値データを抽出すると、前記演算制御部は抽出した段階のトレンド値データの現時点から予め設定した経過時間分を液晶表示部に表示させることが出来るものとしたことを特徴とする情報制御装置。
【請求項２】
前記演算制御部が各種複数の同一単位系の異なる検出データを相互に加算演算し、前記同様演算結果を各段階毎のトレンド値データとして記憶装置部に格納し、液晶表示部に表示させるものとした請求項１記載の情報制御装置。
【請求項３】
前記演算制御部が相互に関連する一つの同一単位系の複数の異なる検出データを相互に減算演算し、偏差値データとし、前記同様演算結果を各段階毎のトレンド値データとして記憶装置部に格納し、液晶表示部に表示させるものとした請求項１又は２記載の情報制御装置。
【請求項４】
前記検出部のプロセスデータ検出や前記演算制御部の各段階毎のトレンド値データ演算を時間管理する時刻機能を有する計時装置部を備えたものとした請求項１、２又は３記載の情報制御装置。
【請求項５】
前記検出部から読込んだプロセスデータ又は、前記演算制御部が演算する各段階毎のリアルタイムデータやトレンド値データ等を外部装置に通信伝達出来る通信機能を有する通信装置部を備えたものとした請求項１、２、３又は４記載の情報制御装置。
【請求項６】
前記検出部から読込んだプロセスデータ又は、前記演算制御部が各種複数の異なる検出データを相互に比較演算あるいは予め設定した内部情報と比較演算した制御情報としてアナログ、デジタル情報等を外部装置に対して出力する外部出力部を備えたものとした請求項１、２、３又は４記載の情報制御装置。
【請求項７】
前記情報制御対象の設備は圧縮機、クリーンルーム、空調設備、受変電設備、各種乾燥炉、ポンプ、送風機、給排水設備等とし、前記検出部の設定したプロセスデータは電流、圧力、温度、流量、湿度、振動、電力量、発停・故障監視、運転時間等とした請求項１、２、３、４、５又は６記載の情報制御装置。
【発明の詳細な説明】
【０００１】
【発明の属する技術分野】
本発明は設備に関わる各種の情報を収集、監視、制御、分析を行う情報制御装置に関するものである。
【０００２】
【従来の技術】
従来の一般的な設備の各種情報を収集、監視、制御、分析を行う情報制御装置は、情報収集用のＰＬＣとその収集したデータを加工、分析するパソコンとの組み合わせでシステムを構築し、情報制御装置として機能させていた。すなわち、ＰＬＣでは各種データを検出し、パソコンが受け取れる情報にデータを加工し、加工したデータを通信手段を介してパソコンに情報伝達し、パソコンはこの情報を順次蓄積し、更に必要な情報に加工してデータベースとして蓄積し、あるいはデータベースを演算分析して、モニタに表示し、時間管理はパソコン側で行っていた。また、計測装置では、プロセスデータの計測を行い、液晶表示部等に計測結果を表示あるいは記憶するものがある。
【０００３】
又は、例えば特許第２７０２３５８号公報に示すごとく、プラント機器の特性、性能の推移の傾向を表示するプロセスデータ表示機能を備えたプロセス表示装置において、指定されたプロセスデータの所定期間における最大値、最小値を測定し、その最大値、最小値と測定したときにおける上記プロセスデータと関連する他のプロセスデータとを抽出する最大最小履歴保存手段と、上記最大最小履歴保存手段で抽出した上記最大値、最小値及び関連する他のプロセスデータを保存する相関履歴ファイルと、相関履歴表示手段とを設け、相関表示要求のあったとき、上記相関履歴ファイルの内容を表示装置に表示させるものとし、又は上記相関履歴ファイルに現在までにファイルされた上記最大値、最小値と関連する他のプロセスデータとから回帰直線を演算し、この回帰直線を表示装置に表示させるものとしたプロセス表示装置がある。
【０００４】
【発明が解決しようとする課題】
しかし従来の一般的な情報制御装置では、設備の各種データの収集装置と、各種データを監視情報、制御情報、分析情報として必要なデータに加工し、記憶、表示する監視分析装置とが別々であったため、データ収集場所と、データ加工、表示場所が別々となり、計測装置のごとく収集した時点のデータは設備側でも監視することが出来るものはあるが、収集し蓄積されたデータあるいはトレンドデータ等、必要な監視、制御、分析データを設備側の収集場所で監視することが困難であると共に、設備側の収集装置とは別に必ず監視分析装置が必要であるという問題があった。
【０００５】
また、特許第２７０２３５８号公報に示す発明は、各種プラント機器のプロセスデータの表示と他のプロセスデータとの相関関係を表示することを特徴とし、指定された所定期間における最大値、最小値のみを対象としているので、管理データとして所定段階のデータとするには再度保存データを加工しなければならないという欠点がある。また、プロセスデータの収集場所とデータ加工、表示場所が別々であるため、設備が大きくなり、データ処理スピードが遅い等の欠点がある。また、機器のプロセスデータあるいは他のプロセスデータとの相関関係等を機器の設置場所付近で検証することは出来ないので、現場での使い勝手が悪いという欠点が有った。本発明では収集装置と演算制御、表示制御、更には指示選択部を一つの装置にまとめると同時に、検出、収集したデータの加工演算、表示に工夫することにより、設備側に設置出来るパソコンより容量、大きさともコンパクトな簡単な一つの情報制御装置で収集から監視、制御、分析までの情報制御を可能とすることを目的とした。
【０００６】
【課題を解決するための手段】
上記の課題を解決するために、本発明は情報制御対象の設備から各種複数の異なるアナログ、デジタルあるいはパルスデータ等所定のプロセスデータを検出する検出部と、この検出部にて検出した所定のプロセスデータを読込み情報制御対象設備ごとに設定した情報制御の演算制御、記憶装置部への情報制御の記憶制御、記憶装置部が記憶するデータの抽出演算制御、液晶表示部への情報制御等の表示制御、およびタッチパネル部による設定制御等を制御する演算制御部と、演算制御部からの情報制御等を表示する液晶表示部と、演算制御部からの情報制御等を記憶する記憶装置部と、各種入力や液晶表示画面の設定を行うタッチパネル部等より構成される情報制御装置において、演算制御部は予め設定したサンプリング時間毎に検出部にて検出した所定のプロセスデータを読込み、検出部から読込んだプロセスデータを記憶装置部に順次格納し、記憶装置部に格納したプロセスデータが予め設定したｎ個となる第１の所定時間が経つと、ｎ個のデータを一つのグループとし、グループの予め設定したトレンド値データを第１段階演算し、第１段階演算のトレンド値データを記憶装置部に格納するものとし、演算処理は所定段階繰り返されてもよいものとし、例えば第１段階演算制御を予め設定したＭ回繰り返すことになる第２の所定時間に、Ｍ回分の格納トレンド値データからトレンド値データを第２段階演算し、第２段階演算のトレンド値データを記憶装置部に格納し、更に第２段階演算制御を予め設定したＰ回繰り返すことになる第３の所定時間に、Ｐ回分の第２段階演算の格納トレンド値データからトレンド値データを第３段階演算し、第３段階演算のトレンド値データを記憶装置部に格納するものとし、タッチパネル部には演算制御部にて演算制御し記憶装置部に格納した各段階毎のトレンド値データを選択出来る選択キーを設け、選択キーにて選択した段階のトレンド値データを抽出すると、演算制御部は抽出した段階のトレンド値データの現時点から予め設定した経過時間分を液晶表示部に表示させることが出来るものとした。
【０００７】
上記の構成によって、データ検出、演算、記憶、分析、表示、更には指示選択等の制御機能を、パソコンより容量、大きさともコンパクトな簡単な一つの装置にまとめて設備側に設置することが出来、また、間欠的な検出、収集したデータの段階的加工演算、段階的表示等の工夫により、一つの情報制御装置で収集から監視、制御、分析までの情報制御が可能となり、第１段階のトレンド値データ、第２段階のトレンド値データ、第３段階のトレンド値データ等を液晶表示部で表示して監視することが出来、かつ外部の中央監視装置等との間でデータの送受なしに監視、制御、分析するので演算速度は早くなり、記憶容量も増加することが出来る。
【０００８】
また、情報制御対象の設備は複数より構成され、設備全体を対象とし、例えば電流、電力、電力量、流量、風量の如く、各設備毎のプロセスデータを収集、監視、制御、分析するだけでなく、前記演算制御部が同一単位系の複数の検出データを相互に加算演算し、前記同様各段階毎の演算結果をトレンド値データとして記憶装置部に格納し、液晶表示部に表示させることにより、設備全体の使用量、トレンドを知ることが出来るので、エネルギー管理、分析が効率よく、また、効果的に出来、省エネ分析等に有効活用出来る。
【０００９】
また、前記同様、情報制御対象の設備は複数より構成され、設備全体を対象とし、例えば温度、流量、圧力の如く、各設備毎のプロセスデータを収集、監視、制御、分析するだけでなく、前記演算制御部が同一単位系の複数の検出データを相互に減算演算し、演算結果を偏差値データとして、前記同様各段階毎の演算結果をトレンド値データとして記憶装置部に格納し、液晶表示部に表示させることにより、設備全体の動向を知ることが出来るので、エネルギー管理、分析が効率よく、また、効果的に出来、省エネ分析等に有効活用出来る。
【００１０】
また、前記設備側の情報制御装置に検出部のプロセスデータ検出や前記演算制御部の各段階毎のトレンド値データ演算を時間管理する時刻機能を有する計時装置部を備えたものとすると、設備側の情報制御装置にて時間管理が行うことが出来、時間管理を外部のパソコン側で行う必要がなくなる。
【００１１】
また、前記検出部から読込んだプロセスデータ又は、前記設備側の情報制御装置に演算制御部が演算する各段階毎のリアルタイムデータ、トレンド値データ等を外部装置に通信伝達出来る通信機能を有する通信装置部を備えたものすると、遠く離れた外部の中央監視装置等、上位の制御装置に演算加工したトレンド値データ等を伝達し、中央部でも表示、監視が出来ると共に、設備側の情報制御装置では、記憶データを所定の時点で更新することにより、記憶容量を有効に活用し、効率よく情報制御することが出来る。
【００１２】
前記検出部から読込んだプロセスデータ又は、前記設備側の情報制御装置に演算制御部が各種複数の異なる検出データを相互に比較演算あるいは予め設定した内部情報と比較演算した制御情報としてアナログ、デジタル情報等を外部装置に対して出力する外部出力部を備えたものとすると、同一敷地内等でネットワークを構築し、同じく中央監視装置等、上位の制御装置に演算加工したトレンド値データ等を伝達し、中央部でも表示、監視が出来ると共に、設備側の情報制御装置では、記憶データを所定の時点で更新することにより、記憶容量を有効に活用し、効率よく情報制御することが出来る。
【００１３】
前記情報制御対象の設備は圧縮機、クリーンルーム、空調設備、受変電設備、各種乾燥炉、ポンプ、送風機、給排水設備等とし、前記検出部の設定したプロセスデータは電流、圧力、温度、流量、湿度、振動、電力量、発停・故障監視、運転時間等とすると、夫々の設備において収集から監視、制御、分析までの情報制御が可能となり、第１段階のトレンド値データ、第２段階のトレンド値データ、第３段階のトレンド値データ等を液晶表示部で表示する等、監視情報を設備保全者や保守作業者に知らせ、その監視情報に基づき的確な状況把握と、当該監視対象設備を効率的に運転、保守、修復、又は再稼動させるせることが出来る。
【００１４】
【発明の実施の形態】
以下本発明の一実施例を図１、図２、図３により説明する。図１は本発明の一実施例を施した情報制御装置の構成を示すブロック図であり、図２は同情報制御装置の検出データの加工方式を示すフロー図であり、図３は同情報制御装置の制御フローを示すフローチャートであり、図４〜図６は同情報制御装置の液晶表示画面の例である。
【００１５】
図において、情報制御対象の設備１から各種複数の異なるアナログ、デジタルあるいはパルスデータ等所定のプロセスデータを検出するアナログ検出部２１ａやデジタル検出部２１ｂからなる検出部２１と、この検出部２１にて検出した所定のプロセスデータを読込み情報制御対象の設備１ごとに予め設定した情報制御の演算等を行う演算制御部２２と、この演算制御部２２からの情報制御等を表示する液晶表示部２３と、演算制御部２２からの情報制御等を記憶する記憶装置部２４と、各種入力や液晶表示画面の設定を行うタッチパネル部２５と、前記検出部２１のプロセスデータ検出や演算制御部２２の各段階毎のトレンド値データ演算を時間管理する時刻機能を有する計時装置部２６等より情報制御装置２が構成されている。
【００１６】
前記演算制御部２２は前記記憶装置部２４への情報制御の記憶制御、記憶装置部２４が記憶するデータの抽出演算制御、前記液晶表示部２３への情報制御等の表示制御、および前記タッチパネル部２５による設定制御等も行い、上記の構成によって、図２、図３に示すごとく、設定したサンプリング時間（例えば６分）毎に前記検出部２１にて検出した所定のプロセスデータを読込み、この検出部２１から読込んだプロセスデータを記憶装置部２４に順次格納し、この記憶装置部２４に格納したプロセスデータが予め設定したｎ個となる第１の所定時間（例えば１時間）が経つと、このｎ個のプロセスデータを一つのグループとし、このグループの予め設定したトレンド値（例えば最大値、最小値、平均値等）データを第１段階演算し、この第１段階演算のトレンド値データを記憶装置部２４に格納するものとし、プロセスデータをずっと保持することが記憶装置部２４の記憶容量から困難な場合、このトレンド値データを記憶装置部２４に格納するとともに前記格納したｎ個のプロセスデータを消去してもよいものとし、この演算処理は所定段階繰り返されてもよいものとし、例えば第１段階演算制御を予め設定したＭ回繰り返すことになる第２の所定時間（例えば２４時間）に、Ｍ回分の格納トレンド値データからトレンド値データを第２段階演算し、この第２段階演算のトレンド値データを記憶装置部２４に格納し、更に第２段階演算制御を予め設定したＰ回繰り返すことになる第３の所定時間（例えば３０日）に、Ｐ回分の第２段階演算の格納トレンド値データからトレンド値データを第３段階演算し、この第３段階演算のトレンド値データを記憶装置部２４に格納するものとし、前記タッチパネル部２５には前記演算制御部２２にて演算制御し記憶装置部２４に格納した各段階毎のトレンド値データを選択出来る選択キーを設け、この選択キーにて選択した段階のトレンド値データを抽出すると、前記演算制御部２２は抽出した段階のトレンド値データを現時点から予め設定した経過時間分を液晶表示部２３に表示させることが出来るものとした。
【００１７】
以上により、液晶表示部２３に図４に示すごとくモニター画面にてプロセスデータ等を表示し、図５に示すごとく２４ｈトレンド画面にて最大値の２４時間トレンド値データ等を表示し、図６に示すごと３０日トレンド画面にて最高値変化、平均値変化、最低値変化等を表示することが出来る。従って、データ検出、演算、記憶、分析、表示、更には指示選択等の制御機能を、パソコンより容量、大きさともコンパクトな簡単な一つの装置にまとめて設備１側に設置することが出来、また、間欠的な検出、収集したデータの段階的加工演算、段階的表示等の工夫により、一つの情報制御装置２で収集から監視、制御、分析までの情報制御が可能となり、第１段階のトレンド値データ、第２段階のトレンド値データ、第３段階のトレンド値データ等を液晶表示部２３で表示して監視することが出来、かつ外部の中央監視装置等外部装置３との間でデータの送受なしに監視、制御、分析するので演算速度は早くなり、記憶容量も増加することが出来る。
【００１８】
他の実施形態として、情報制御対象の設備１１からアナログデータあるいはパルスデータを検出、読み込み、また、設備１２から同様のアナログデータあるいはパルスデータを検出、読み込む。この読み込んだ各々のプロセスデータを記憶装置部２４に順次格納し、更に、設備１１から読み込んだプロセスデータと、設備１２から読み込んだプロセスデータを加算演算し、その結果を新たなデータＡ１として記憶装置部２４に順次格納する。この演算データＡ１が予め設定したｎ個となる第１の所定時間が経つと、このｎ個のプロセスデータを一つのグループとし、このグループの予め設定したトレンド値データを第１段階演算し、この第１段階演算のトレンド値データを記憶装置部２４に格納するものとし、この演算処理は予め設定したＭ回分の格納トレンド値データからトレンド値データを第２段階演算し、この第２段階演算のトレンド値データを記憶装置部２４に格納し、更に第２段階演算制御を予め設定したＰ回分の第２段階演算の格納トレンド値データからトレンド値データを第３段階演算し、この第３段階演算のトレンド値データを記憶装置部２４に格納するものとし、前記タッチパネル部２５には前記演算制御部２２にて演算制御し記憶装置部２４に格納した各段階毎のトレンド値データを選択出来る選択キーを設け、この選択キーにて選択した段階のトレンド値データを抽出すると、前記演算制御部２２は抽出した段階のトレンド値データを現時点から予め設定した経過時間分を液晶表示部２３に表示させることが出来るものとした。
【００１９】
また、他の実施形態として、情報制御対象の設備１１からアナログデータあるいはパルスデータを検出、読み込み、また、設備１２から同様のアナログデータあるいはパルスデータを検出、読み込む。この読み込んだ各々のプロセスデータを記憶装置部２４に順次格納し、更に、設備１１から読み込んだプロセスデータと、設備１２から読み込んだプロセスデータを減算演算し、その結果を新たなデータＢ１として記憶装置部２４に順次格納する。この演算データＢ１が予め設定したｎ個となる第１の所定時間が経つと、このｎ個のプロセスデータを一つのグループとし、このグループの予め設定したトレンド値データを第１段階演算し、この第１段階演算のトレンド値データを記憶装置部２４に格納するものとし、この演算処理は予め設定したＭ回分の格納トレンド値データからトレンド値データを第２段階演算し、この第２段階演算のトレンド値データを記憶装置部２４に格納し、更に第２段階演算制御を予め設定したＰ回分の第２段階演算の格納トレンド値データからトレンド値データを第３段階演算し、この第３段階演算のトレンド値データを記憶装置部２４に格納するものとし、前記タッチパネル部２５には前記演算制御部２２にて演算制御し記憶装置部２４に格納した各段階毎のトレンド値データを選択出来る選択キーを設け、この選択キーにて選択した段階のトレンド値データを抽出すると、前記演算制御部２２は抽出した段階のトレンド値データを現時点から予め設定した経過時間分を液晶表示部２３に表示させることが出来るものとした。
【００２０】
また、他の実施形態として、前記検出部２１から読込んだプロセスデータ又は、前記設備１側の情報制御装置２に演算制御部２２が演算する各段階毎のリアルタイムデータ、トレンド値データ等を外部装置３に通信回線４を介して通信伝達出来る通信機能を有する通信装置部２７を備えたものとすると、遠く離れた外部の中央監視装置等、上位の制御装置である外部装置３に演算加工したトレンド値データ等を伝達し、中央部でも表示、監視が出来ると共に、設備１側の情報制御装置２では、記憶データを所定の時点で更新することにより、記憶容量を有効に活用し、効率よく情報制御することが出来る。
【００２１】
また、他の実施形態として、前記検出部２１から読込んだプロセスデータ又は、前記演算制御部２２が各種複数の異なる検出データを相互に比較演算あるいは予め設定した内部情報と比較演算した制御情報としてアナログ、デジタル情報等を外部装置３に対して出力する外部出力部２８を備えたものとすると、同一敷地内等でネットワークを構築し、同じく中央監視装置等、上位の制御装置である外部装置３に演算加工したトレンド値データ等を伝達し、中央部でも表示、監視が出来ると共に、設備１側の情報制御装置２では、記憶データを所定の時点で更新することにより、記憶容量を有効に活用し、効率よく情報制御することが出来る。
【００２２】
前記情報制御対象の設備１は圧縮機、クリーンルーム、空調設備、受変電設備、各種乾燥炉、ポンプ、送風機、給排水設備等とし、前記検出部の設定したプロセスデータは電流、圧力、温度、流量、湿度、振動、電力量、発停・故障監視、運転時間等とすると、夫々の設備１において収集から監視、制御、分析までの情報制御が可能となり、第１段階のトレンド値データ、第２段階のトレンド値データ、第３段階のトレンド値データ等を液晶表示部２３で表示する等、監視情報を設備保全者や保守作業者に知らせ、その監視情報に基づき的確な状況把握と、当該監視対象設備１を効率的に運転、保守、修復、又は再稼動させるせることが出来る情報制御装置が提供出来る。
【００２３】
【発明の効果】
本発明は、情報制御対象の設備から各種複数の異なる所定のプロセスデータを検出する検出部と、検出した所定のプロセスデータを読込み情報制御対象設備ごとに設定した情報制御の演算制御、記憶制御、記憶するデータの抽出演算制御、表示制御、および設定制御等を制御する演算制御部と、演算制御部からの情報制御等を表示する液晶表示部と、演算制御部からの情報制御等を記憶する記憶装置部と、各種入力や設定を行うタッチパネル部等より構成される情報制御装置において、演算制御部は予め設定したサンプリング時間毎に検出した所定のプロセスデータを読込み、読込んだプロセスデータを記憶装置部に順次格納し、格納したプロセスデータが予め設定したｎ個となると、ｎ個のデータを一つのグループとし、グループの予め設定したトレンド値データを第１段階演算し、第１段階演算のトレンド値データを記憶装置部に格納するものとし、演算処理は所定段階繰り返されてもよいものとし、第１段階演算制御をＭ回繰り返すと、Ｍ回分の格納トレンド値データからトレンド値データを第２段階演算し、第２段階演算のトレンド値データを記憶装置部に格納し、更に第２段階演算制御をＰ回繰り返すと、Ｐ回分の格納トレンド値データからトレンド値データを第３段階演算し、第３段階演算のトレンド値データを記憶装置部に格納するものとし、タッチパネル部には記憶装置部に格納した各段階毎のトレンド値データを選択出来る選択キーを設け、選択した段階のトレンド値データを抽出すると、演算制御部は抽出した段階のトレンド値データの現時点から予め設定した経過時間分を液晶表示部に表示させることが出来るものとしたから、データ検出、演算、記憶、分析、表示、更には指示選択等の制御機能を、パソコンより容量、大きさともコンパクトな簡単な一つの装置にまとめて設備側に設置することが出来、また、間欠的な検出、収集したデータの段階的加工演算、段階的表示等の工夫により、一つの情報制御装置で収集から監視、制御、分析までの情報制御が可能となり、第１段階のトレンド値データ、第２段階のトレンド値データ、第３段階のトレンド値データ等を液晶表示部で表示して監視することが出来、かつ外部の中央監視装置等との間でデータの送受なしに監視、制御、分析するので演算速度は早くなり、記憶容量も増加することが出来る情報制御装置が提供出来る。
【００２４】
また、情報制御対象の設備は複数より構成され、設備全体を対象とし、各設備毎のプロセスデータを収集、監視、制御、分析するだけでなく、演算制御部が同一単位系の複数の検出データを相互に加算演算し、各段階毎の演算結果をトレンド値データとして記憶装置部に格納し、液晶表示部に表示させるものとすると、設備全体の使用量、トレンドを知ることが出来るので、エネルギー管理、分析が効率よく、また、効果的に出来、省エネ分析等に有効活用出来る情報制御装置が提供出来る。
【００２５】
または、情報制御対象の設備は複数より構成され、設備全体を対象とし、各設備毎のプロセスデータを収集、監視、制御、分析するだけでなく、演算制御部が同一単位系の複数の検出データを相互に減算演算し、演算結果を偏差値データとして、各段階毎の演算結果をトレンド値データとして記憶装置部に格納し、液晶表示部に表示させるものとすると、設備全体の動向を知ることが出来るので、エネルギー管理、分析が効率よく、また、効果的に出来、省エネ分析等に有効活用出来る情報制御装置が提供出来る。
【００２６】
更に、設備側の情報制御装置に検出部のプロセスデータ検出や前記演算制御部の各段階毎のトレンド値データ演算を時間管理する時刻機能を有する計時装置部を備えると、設備側の情報制御装置にて時間管理が行うことが出来、時間管理を外部のパソコン側で行う必要がない情報制御装置が提供出来る。
【００２７】
また、設備側の情報制御装置に演算制御部が演算する各段階毎のトレンド値データ等を外部装置に通信伝達出来る通信機能を有する通信装置部を備えると、遠く離れた外部の中央監視装置等、上位の制御装置に演算加工したトレンド値データ等を伝達し、中央部でも表示、監視が出来ると共に、設備側の情報制御装置では、記憶データを所定の時点で更新することにより、記憶容量を有効に活用し、効率よく情報制御することが出来る情報制御装置が提供出来る。
【００２８】
また、設備側の情報制御装置に演算制御部が各種複数の異なる検出データを相互に比較演算あるいは予め設定した内部情報と比較演算した制御情報としてアナログ、デジタル情報等を外部装置に対して出力する外部出力部を備えると、同一敷地内等でネットワークを構築し、同じく中央監視装置等、上位の制御装置に演算加工したトレンド値データ等を伝達し、中央部でも表示、監視が出来るとともに、設備側の情報制御装置では、記憶データを所定の時点で更新することにより、記憶容量を有効に活用し、効率よく情報制御することが出来る情報制御装置が提供出来る。
【００２９】
前記情報制御対象の設備は圧縮機、クリーンルーム、空調設備、受変電設備、各種乾燥炉、ポンプ、送風機、給排水設備等とし、検出部の設定したプロセスデータは電流、圧力、温度、流量、湿度、振動、電力量、発停・故障監視、運転時間等とすると、夫々の設備において収集から監視、制御、分析までの情報制御が可能となり、第１段階のトレンド値データ、第２段階のトレンド値データ、第３段階のトレンド値データ等を液晶表示部で表示する等、監視情報を設備保全者や中央管理者や保守作業者に知らせ、その監視情報に基づき的確な状況把握と、当該監視対象設備を保守、修復、又は再稼動させるせることが出来る情報制御装置が提供出来る。
【図面の簡単な説明】
【図１】本発明の一実施例を示す情報制御装置の全体を示す系統図である。
【図２】同情報制御装置の監視端末の構成を示す系統図である。
【図３】同情報制御装置の中央監視装置の構成を示す系統図である。
【図４】同情報制御装置の液晶表示部のモニター画面である。
【図５】同情報制御装置の液晶表示部の２４ｈトレンド画面である。
【図６】同情報制御装置の液晶表示部の３０日トレンド画面である。
【符号の説明】
１、１１、１２　設備
２　情報制御装置
２１　検出部
２２　演算制御部
２３　液晶表示部
２４　記憶装置部
２５　タッチパネル部
２６　計時装置部
２７　通信装置部
２８　外部出力部
３　外部装置
４　通信回線
【図１】
2004102963.tif 000003
【図２】
2004102963.tif 000004
【図３】
2004102963.tif 000005
【図４】
2004102963.tif 000006
【図５】
2004102963.tif 000007
【図６】
2004102963.tif 000008